(57)【要約】【課題】国内各地で比較的容易に入手可能であり、１年という短期間で成長する天然素材の１年草の植物茎を配列体の素材として積極的に活用することで、経済的にかつ安定的に製造可能となる。【解決手段】上面を開口とした縦長の箱状の棺本体１１を備えた棺１０に使用され、棺本体１１の開口部を閉鎖可能な蓋１２が、棺本体１１の開口部を閉鎖可能な大きさを有し、それぞれの長さと厚さが均一に揃えられた複数の１年草の植物茎１３を規則的に配列して形成された配列体１４により構成される。【選択図】図１
0003138379.tif 000002
【実用新案登録請求の範囲】
【請求項１】
上面を開口とした縦長の箱状の棺本体(11)を備えた棺(10)に使用され、前記棺本体(11)の開口部を閉鎖可能な棺用蓋(12)において、
前記棺本体(11)の開口部を閉鎖可能な大きさを有し、それぞれの長さと厚さが均一に揃えられた複数の１年草の植物茎(13)を規則的に配列して形成された配列体(14)により構成されたことを特徴とする棺用蓋。
【請求項２】
配列体(14)の棺本体(11)に対向する面に、前記配列体(14)の長手方向に沿って一対の桟(17,17)が設けられた請求項１記載の棺用蓋。
【請求項３】
一対の桟(17,17)の間隔は、前記一対の桟(17,17)の外的寸法が棺本体(11)の開口部の内的寸法に相応するように設けられた請求項２記載の棺用蓋。
【請求項４】
配列体(14)の表面又は表裏面に面材が被覆された請求項１記載の棺用蓋。
【考案の詳細な説明】
【技術分野】
【０００１】
本考案は、１年草の植物茎を用いて形成された棺用蓋に関するものである。
【背景技術】
【０００２】
従来、遺体を収納保管する箱として使用されている棺は、上面が開口した箱形の棺本体と棺本体を覆う蓋とから構成されている。蓋及び棺本体の素材は、主として桐材などの木材が多く使用されているが、その他の素材として、段ボール紙、結露防止対策としてコルク薄板や硬質発泡ウレタンフォームなどの石化原料由来の素材等を使用したものが知られている。
【０００３】
例えば、蓋が長方形に構成され、棺本体が底部と左右面部と前後面部とから構成され、上記蓋及び棺本体が硬質発泡ウレタンフォームを素材として構成された棺が開示されている（例えば、特許文献１参照）。この棺では、硬質発泡ウレタンフォームとして、ポリエーテル型ウレタンフォームが用いられる。また硬質発泡ウレタンフォームに代えて、パルプ紙貼合せ材や、ポリエチレンフォームの軟質又は硬質材や、ポリプロピレンフォームの軟質又は硬質材や、木材等を用いてもよい。
【０００４】
このように構成された棺では、蓋及び棺本体の素材として硬質発泡ウレタンフォームを用いた場合、断熱効果を上げることができるので、結露の問題を解決できるようになっている。
【特許文献１】特開平８−６８５号公報（請求項１、２、５及び６、段落［００１６］）
【考案の開示】
【考案が解決しようとする課題】
【０００５】
しかし、上記従来の特許文献１に示された棺では、蓋及び棺本体の素材として硬質発泡ウレタンフォームを用いた場合、棺の焼却時に有害なガスが発生するおそれがあった。
【０００６】
また、上記従来の特許文献１に示された棺では、蓋及び棺本体の素材として木材を用いた場合、釘等を使用して組み立て加工するため非常に手間がかかり、かつ棺の焼却後の残灰の処分が煩わしくなるとともに、木材は成長するまでに何年もかかってしまい、自然環境の保護の観点から問題となる不具合があった。
【０００７】
本考案の目的は、国内各地で比較的容易に入手可能であり、１年という短期間で成長する天然素材の１年草の植物茎を配列体の素材として積極的に活用することで、経済的にかつ安定的に製造可能な、棺用蓋を提供することにある。
【０００８】
本考案の別の目的は、組立て方法が容易なため、特に大きな専用設備並びに熟練度を必要とせずに１年草の生産地周辺地域での製造が可能となり、ニーズに即応することができる、棺用蓋を提供することにある。
【０００９】
本考案の更に別の目的は、焼却時に有害なガスを発生することがないため、自然環境の保護に役立つ、棺用蓋を提供することにある。
【課題を解決するための手段】
【００１０】
請求項１に係る考案は、図１に示すように、上面を開口とした縦長の箱状の棺本体１１を備えた棺１０に使用され、前記棺本体１１の開口部を閉鎖可能な棺用蓋１２の改良である。
【００１１】
その特徴ある構成は、棺用蓋１２が棺本体１１の開口部を閉鎖可能な大きさを有し、それぞれの長さと厚さが均一に揃えられた複数の１年草の植物茎１３を規則的に配列して形成された配列体１４により構成されたところにある。
【００１２】
この請求項１に記載された棺用蓋では、構成する配列体１４の素材として、１年という短期間で成長する天然素材の１年草の植物茎１３を用いる。この１年草は、収穫の回転が速く、かつ国内各地で比較的容易に入手可能であるので、使用する素材の価格並びに供給が安定する。
【００１３】
また、組立て方法が容易であるため、特に大きな専用設備も不要であり、また熟練度も必要としないため、１年草の生産地周辺地域での製造が可能となり、ニーズに即応することができる。
【００１４】
また、素材に１年草の植物茎１３を使用することで、成長するのに何年もの年月を要する木材を用いずに済み、また、この植物茎１３は焼却時に有害なガスも発生しないので、森林等の自然環境の保護に役立つ。
【考案の効果】
【００１５】
本考案によれば、蓋を構成する配列体が棺本体の開口部を閉鎖可能な大きさにし、その配列体をそれぞれの長さと厚さが均一に揃えられた複数の１年草の植物茎を規則的に配列して形成したので、収穫の回転が速く、かつ国内各地で比較的容易に入手可能となり、使用する素材の価格並びに供給が安定する。また、組立て方法が容易であるため、特に大きな専用設備も不要であり、また熟練度も必要としないため、１年草の生産地周辺地域での製造が可能となり、ニーズに即応することができる。また、素材に１年草の植物茎を使用することで、成長するのに何年もの年月を要する木材を用いずに済み、また、この植物茎は焼却時に有害なガスも発生しないので、森林等の自然環境の保護に役立つ。なお、１年草の植物茎を規則的に配列してテープ等で固定して組立てれば、釘・ねじ等の金具を使用せずに済むので、焼却残渣が発生しない。
【考案を実施するための最良の形態】
【００１６】
次に本考案を実施するための最良の形態を図面に基づいて説明する。
【００１７】
図１に示すように、棺用蓋１２は、上面を開口とした縦長の箱状の棺本体１１を備えた棺１０に使用され、棺本体１１の開口部１１ａを閉鎖可能に構成される。この蓋１２は、棺本体１１の開口部を閉鎖可能な大きさを有する配列体１４からなる。そして、配列体１４は、それぞれの長さと厚さが均一に揃えられた複数の１年草の植物茎１３を規則的に配列することにより形成される。
【００１８】
使用する複数の植物茎１３は、事前になるべく径が揃ったものが集められる。使用する１年草の植物茎としては、高りゃん、トウモロコシ、葦、ヒマワリ及びサトウキビからなる群より選ばれた１種又は２種以上の植物茎を用いることが好ましい。使用する植物茎は、その取扱い易さ、形成する配列体の強度等から、径が３０ｍｍ程度のものが好ましい。
【００１９】
そして図２（ａ）及び図２（ｂ）に示すように、配列体１４を形成したときに表裏面側にあたる側面が複数の植物茎の厚さが均一となるように切り揃えられる。複数の植物茎１３を配列して形成した配列体１４の表裏面の凹凸を減らし、蓋の表裏面を平滑するため、また蓋の見栄えを良くするためである。切り揃えた植物茎の面側の厚さは、形成される蓋の強度等を考慮すると、１８〜２０ｍｍ程度の範囲に形成されることが好ましい。続いて、図示しないが、複数の植物茎１３は、棺１０の幅に相当する長さ、例えば５５０ｍｍ程度になるように、均一に切り揃えられる。
【００２０】
次に、図２（ｃ）に示すように、棺１０の幅に相当する長さに切り揃えられた複数の植物茎１３を規則的に配列することで配列体１４が形成される。植物茎１３の径が３０ｍｍ程度であれば、６０本ほど植物茎を配列することで、棺１０の長手方向に相当する、１８００ｍｍ程度の長さを有する配列体１４を形成することができる。
【００２１】
図３に示すように、配列体１４は、全ての植物茎１３の各端部を糸１６又はテープで結合することで固定してもよいし、植物茎１３同士がそれぞれ接触する側を接着剤などで固着することで固定してもよい。このようにして形成された配列体１４を棺用の蓋１２として使用する。蓋１２は棺本体１１の開口部１１ａと略同一形状の長方形の板状に形成される。
【００２２】
このように構成された棺用蓋では、構成する配列体１４の素材として、１年という短期間で成長する天然素材の１年草の植物茎１３を用いる。この１年草は、収穫の回転が速く、国内各地で比較的容易に入手可能であるので、使用する素材の価格並びに供給が安定する。また、組立て方法が容易であるため、特に大きな専用設備も不要であり、また熟練度も必要としないため、１年草の生産地周辺地域での製造が可能となり、ニーズに即応することができる。
【００２３】
また、素材に１年草の植物茎１３を使用することで、成長するのに何年もの年月を要する木材を用いずに済み、また、この植物茎１３は焼却時に有害なガスも発生しないので、森林等の自然環境の保護に役立ち、ＣＯ2の削減に寄与できる。なお、１年草の植物茎を規則的に配列してテープ等で固定して組立てれば、釘・ねじ等の金具を使用せずに済むので、焼却残渣が発生しない。
【００２４】
また、図１に示すように、本考案の蓋が載せられる棺本体１１は直方体状に形成され、開口部１１ａは棺本体１１の上面に形成される。棺本体１１は、例えば、長方形状の板状の底板１１ｂと、この底板１１ｂの互いに対向する２つの短い辺に沿ってそれぞれ立設される板状の一対の第１側板１１ｃ，１１ｃと、底板１１ｂの互いに対向する２つの長い辺に沿ってそれぞれ立設される板状の一対の第２側板１１ｄ，１１ｄとを有する。
【００２５】
棺本体１１の底板１１ｂ、第１側板１１ｃ及び第２側板１１ｄは４〜２０ｍｍ、好ましくは８〜１５ｍｍの範囲の厚さにそれぞれ形成されることが好ましい。
【００２６】
なお、上記底板１１ｂ、第１側板１１ｃ及び第２側板１１ｄの周縁は粘接着性布テープにより被覆されることが好ましい。また、上記底板１１ｂ、第１側板１１ｃ及び第２側板１１ｄを立設させた状態でそれぞれの板を固定する際にも粘接着性布テープ１５を使用することが好ましい。この粘接着性テープ１５は、テープ基材と、このテープ基材の表面に塗布された粘接着剤とを有する。粘接着性テープ１５としては、ゴム系ホットメルト型接着剤が表面に塗布された綿布製テープを用いてもよい。この綿布製テープでは、ゴム系ホットメルト型接着剤が棺本体１１の各板の仮接着を可能とする常温粘着性を有し、仮接着した後に更に接着面をアイロン等にて加温圧着することにより強固に接着できるようになっている。
【００２７】
図４に示すように、この棺本体１１の開口部１１ａを蓋１２で閉止することにより棺１０が完成する。
【００２８】
また、図５に示すように、配列体１４の棺本体１１に対向する面に、配列体１４の長手方向に沿って一対の桟１７，１７を設けてもよい。このような桟１７を設けることで、複数の植物茎１３がそれぞれ強固に固定されるので、配列体１４の強度が増す。また、桟１７は、棺本体１１に対向する面に設けるため、蓋１２の外観を損なうこともない。桟１７の素材としては、合板等が挙げられる。桟１７は、粘接着性テープや接着剤により、配列体１４に設置される。
【００２９】
この一対の桟１７，１７の間隔は、一対の桟１７，１７の外的寸法が棺本体１１の開口部１１ａの内的寸法に相応するように設けられる。このような間隔で一対の桟１７，１７を設けることにより、桟１７，１７が棺本体１１の開口部１１ａに合致して蓋１２が棺本体１１に冠着され、蓋１２を閉じたときに蓋のズレを生じにくくなる。
【００３０】
例えば、配列体１４が棺本体１１と略同一形状であって、幅を５５０ｍｍ、長さを１８００ｍｍとするとき、幅が１８〜２０ｍｍ程度、長さが１７５０ｍｍ程度、厚さが１２ｍｍ程度の合板を棺本体１１の開口部の内的寸法に沿った位置に設置することで達成できる。棺本体１１の第１側板１１ｃ及び第２側板１１ｄが２０ｍｍの厚さで形成されているのであれば、配列体１４を形成する植物茎１３の端部から２０〜２５ｍｍほど中央に移動した位置に、桟を設置することで達成できる。
【００３１】
また、配列体１４の表面又は表裏面には装飾を目的として面材を被覆してもよい。面材の素材としては、ポリエステル不織布や和紙などが挙げられる。被覆には、粘接着性テープを使用することが簡易な点から好ましい。この粘接着性テープは、テープ基材と、このテープ基材の表面に塗布された粘接着剤とを有する。粘接着剤テープとしては両面テープなどが挙げられる。
【００３２】
なお、本実施の形態中、棺用蓋や棺本体の説明において、その寸法を具体的な数値を用いて説明したが、本考案は上記数値に限定される訳ではなく、従来より使用されている様々な寸法の蓋に適用可能であることはいうまでもない。
【図面の簡単な説明】
【００３３】
【図１】本発明の実施の形態の蓋と棺本体を示す斜視図である。
【図２】図２（ａ）は、植物茎の断面図であり、図２（ｂ）は、厚さが切り揃えられた植物茎の断面図であり、図２（ｃ）は、配列体の断面図である。
【図３】植物茎の各端部を糸により結合することで固定された配列体の斜視図である。
【図４】箱状の棺本体の開口部を蓋により閉止した状態を示す斜視図である。
【図５】一対の桟が設けられた蓋と棺本体を示す斜視図である。
【符号の説明】
【００３４】
１０  棺
１１  棺本体
１２  蓋
１３  植物茎
１４  配列体
１５  粘接着性テープ
１６  糸
１７  桟
【図１】
0003138379.tif 000003
【図２】
0003138379.tif 000004
【図３】
0003138379.tif 000005
【図４】
0003138379.tif 000006
【図５】
0003138379.tif 000007